(57)【要約】【課題】  ＰＣ用のページを携帯電話に見やすい態様に変換する際に、特定のウェブサイトのページに含まれる複数のコンテンツの表示順をユーザの好みを反映させて並べ替えること。【解決手段】  サイト情報変換装置１０は、ユーザが閲覧したいウェブページを解析して複数のパーツに分解し、ＵＲＬを付してコンテンツデータベース１２に格納する解析部１４と、ユーザ端末３０での表示に適するようデータを変換しつつ、所定の順位にしたがって各パーツが表示されるハイパーテキストデータを生成する端末用データ生成部１５と、生成されたデータをユーザ端末３０に送信する送信部１６と、送信時にユーザ端末３０の画面上に各パーツに対応した優先順位ボタンを表示させるようデータを付加するボタン追加部１７と、画面上で選択された優先順位ボタンの情報を受信する受信部１８とを備え、ボタンで指定された順でパーツの表示順を変更する。【選択図】  図１
2010092128.tif 000002
【特許請求の範囲】
【請求項１】
コンピュータ向けのウェブサイトを表示エリアの大きさが制限された端末の前記表示エリアの大きさに適した態様に変換するサイト情報変換装置において、
前記端末を利用するユーザからのアクセスによりユーザの識別情報をユーザデータベースに登録する識別情報登録部と、
前記識別情報が登録された端末からの要求に応じて閲覧したいウェブサイトにアクセスし、当該ウェブサイトのウェブページを解析して複数のパーツに分解し、各パーツにＵＲＬを付してコンテンツデータベースに格納する解析部と、
前記端末での表示に適するようデータを変換しつつ、所定の順位にしたがって前記各パーツが表示されるハイパーテキストデータを生成する端末用データ生成部と、
生成された前記ハイパーテキストデータを前記端末に送信する送信部と、
前記ハイパーテキストデータの送信時に、前記端末の画面上に各パーツに対応した優先順位ボタンを表示させるようデータを付加するボタン追加部と、
前記端末の画面上で選択された前記優先順位ボタンの情報を受信する受信部とを備え、
前記端末用データ生成部は、前記受信部が情報を受信すると、受信した表示順位の情報に基づき、当該順位にしたがって前記各パーツが表示されるハイパーテキストデータを生成し、前記送信部は生成されたハイパーテキストデータを前記端末に送信することを特徴とするサイト情報変換装置。
【請求項２】
前記ボタン追加部は、当該ユーザにとって当該ウェブページに対応するハイパーテキストデータの初回の送信時にのみ前記優先順位ボタンを表示させるようデータを付加することを特徴とする請求項１に記載のサイト情報変換装置。
【請求項３】
前記送信部により送信されたハイパーテキストデータの各パーツに対するユーザの閲覧回数を前記ユーザデータベースに登録する履歴登録部を備え、前記端末用データ生成部は、当該ユーザにとって当該ウェブページに対応するハイパーテキストデータの２回目以降の送信時には、登録された閲覧回数により決定される順位にしたがって当該ウェブページのパーツが表示されるハイパーテキストデータを生成することを特徴とする請求項２に記載のサイト情報変換装置。
【請求項４】
前記識別情報登録部は、前記端末を利用するユーザからのアクセスがあったときに、当該ユーザが利用している端末の機種を特定して前記ユーザデータベースに登録し、前記端末用データ生成部は、前記端末の機種による機能に応じて前記端末で表示できるよう前記ハイパーテキストデータを生成することを特徴とする請求項１から３のいずれかに記載のサイト情報変換装置。
【請求項５】
コンピュータ向けのウェブサイトを表示エリアの大きさが制限された端末の前記表示エリアの大きさに適した態様に変換するサイト情報変換方法において、
前記端末を利用するユーザからのアクセスによりユーザの識別情報をユーザデータベースに登録する識別情報登録ステップと、
前記識別情報が登録された端末からの要求に応じて閲覧したいウェブサイトにアクセスし、当該ウェブサイトのウェブページを解析して複数のパーツに分解し、各パーツにＵＲＬを付してコンテンツデータベースに格納する解析ステップと、
前記端末での表示に適するようデータを変換しつつ、所定の順位にしたがって前記各パーツが表示されるハイパーテキストデータを生成する端末用データ生成ステップと、
生成された前記ハイパーテキストデータを前記端末に送信する送信ステップと、
前記ハイパーテキストデータの送信時に、前記端末の画面上に各パーツに対応した優先順位ボタンを表示させるようデータを付加するボタン追加ステップと、
前記端末の画面上で選択された前記優先順位ボタンの情報を受信する受信ステップとを
備え、
前記端末用データ生成ステップでは、前記受信ステップで情報を受信すると、受信した表示順位の情報に基づき、当該順位にしたがって前記各パーツが表示されるハイパーテキストデータを生成し、前記送信ステップでは、生成されたハイパーテキストデータを前記端末に送信することを特徴とするサイト情報変換方法。
【請求項６】
コンピュータ向けのウェブサイトを表示エリアの大きさが制限された端末の前記表示エリアの大きさに適した態様に変換するサイト情報変換プログラムにおいて、
コンピュータに、
前記端末を利用するユーザからのアクセスによりユーザの識別情報をユーザデータベースに登録する識別情報登録ステップと、
前記識別情報が登録された端末からの要求に応じて閲覧したいウェブサイトにアクセスし、当該ウェブサイトのウェブページを解析して複数のパーツに分解し、各パーツにＵＲＬを付してコンテンツデータベースに格納する解析ステップと、
前記端末での表示に適するようデータを変換しつつ、所定の順位にしたがって前記各パーツが表示されるハイパーテキストデータを生成する端末用データ生成ステップと、
生成された前記ハイパーテキストデータを前記端末に送信する送信ステップと、
前記ハイパーテキストデータの送信時に、前記端末の画面上に各パーツに対応した優先順位ボタンを表示させるようデータを付加するボタン追加ステップと、
前記端末の画面上で選択された前記優先順位ボタンの情報を受信する受信ステップとを実行させ、
前記端末用データ生成ステップでは、前記受信ステップで情報を受信すると、受信した表示順位の情報に基づき、当該順位にしたがって前記各パーツが表示されるハイパーテキストデータを生成し、前記送信ステップでは、生成されたハイパーテキストデータを前記端末に送信することを特徴とするサイト情報変換プログラム。
【発明の詳細な説明】
【技術分野】
【０００１】
本発明は、コンピュータ向けのウェブサイトを表示エリアの大きさが制限された端末の前記表示エリアの大きさに適した態様に変換するサイト情報変換装置、サイト情報変換方法及びサイト情報変換プログラムに関する。
【背景技術】
【０００２】
インターネット上のウェブサイトは、一般にパーソナルコンピュータ（ＰＣ）向けに設計されているため、そのままでは、表示エリアの大きさが制限された携帯電話等の端末では閲覧が困難である。一部のウェブサイトは、ＰＣ用のページの他に、携帯電話用のページを用意しているが、その数は限られており、ユーザ側からはＰＣ向けに設計されたページを携帯電話で見たいという要望がある。
【０００３】
このため、ＰＣ用のページを携帯電話に見やすい態様に変換する方法が提案されている。例えば、特許文献１に開示されるコンテンツ提供システムは、携帯用端末機から使用者の識別情報及びコンテンツサーバーのＵＲＬが入力されると、対応する多数のコンテンツサーバーにコンテンツ提供を要請し、コンテンツが提供されると、携帯用端末機の規格に応じて画像を縮小、減色及び圧縮して変換した後、ネットワークを通じて携帯用端末機に伝送する。
【特許文献１】特開２００２−１２３４６２号公報
【発明の開示】
【発明が解決しようとする課題】
【０００４】
しかしながら、上記の特許文献１に開示されるコンテンツ提供システムでは、ＰＣ向けサイトの画像、音楽データのサイズを圧縮したり、携帯用端末機に適合しない動画像情報、広告などをフィルタリングしたりすることはできるが、特定のウェブサイトのページに含まれる複数のコンテンツの表示順を並べ替えることはできない。なお、特許文献1のシ
ステムでも、ユーザ情報は登録されているが、これはコンテンツ提供に対する課金、決済処理のためと、利用している携帯用端末機のコンテンツ出力能力やコンテンツ通信能力などの規格に応じて画像の圧縮率を変更するために利用されており、ユーザの好みを反映させるためには利用されていない。
【０００５】
本発明は、上記の問題点に鑑みてなされたものであり、その課題は、ＰＣ用のページを携帯電話に見やすい態様に変換する際に、特定のウェブサイトのページに含まれる複数のコンテンツの表示順をユーザの好みを反映させて並べ替えることができるサイト情報変換装置を提供することにある。
【課題を解決するための手段】
【０００６】
上述した課題を解決するために、本発明に係るサイト情報変換装置は、コンピュータ向けのウェブサイトを表示エリアの大きさが制限された端末の前記表示エリアの大きさに適した態様に変換する装置において、端末を利用するユーザからのアクセスによりユーザの識別情報をユーザデータベースに登録する識別情報登録部と、識別情報が登録された端末からの要求に応じて閲覧したいウェブサイトにアクセスし、当該ウェブサイトのウェブページを解析して複数のパーツに分解し、各パーツにＵＲＬを付してコンテンツデータベースに格納する解析部と、ユーザ端末での表示に適するようデータを変換しつつ、所定の順位にしたがって各パーツが表示されるハイパーテキストデータを生成する端末用データ生成部と、生成されたハイパーテキストデータを端末に送信する送信部と、ハイパーテキストデータの送信時に、端末の画面上に各パーツに対応した優先順位ボタンを表示させるよ
うデータを付加するボタン追加部と、端末の画面上で選択された優先順位ボタンの情報を受信する受信部とを備え、端末用データ生成部は、受信部が情報を受信すると、受信した表示順位の情報に基づき、当該順位にしたがって各パーツが表示されるハイパーテキストデータを生成し、送信部は生成されたハイパーテキストデータを端末に送信することを特徴とする。
【０００７】
ボタン追加部は、当該ユーザにとって当該ウェブページに対応するハイパーテキストデータの初回の送信時にのみ優先順位ボタンを表示させるようデータを付加することが望ましい。
【０００８】
また、この場合、送信部により送信されたハイパーテキストデータの各パーツに対するユーザの閲覧回数をユーザデータベースに登録する履歴登録部を備え、端末用データ生成部は、当該ユーザにとって当該ウェブページに対応するハイパーテキストデータの２回目以降の送信時には、登録された閲覧回数により決定される順位にしたがって当該ウェブページのパーツが表示されるハイパーテキストデータを生成することが望ましい。
【０００９】
さらに、識別情報登録部は、端末を利用するユーザからのアクセスがあったときに、当該ユーザが利用している端末の機種を特定してユーザデータベースに登録し、端末用データ生成部は、端末の機種による機能に応じて端末で表示できるようハイパーテキストデータを生成することが望ましい。
【００１０】
なお、本発明に係るサイト情報変換方法は、上記のサイト情報変換装置の各部をステップに置き換えることにより構成されており、サイト情報変換プログラムは、コンピュータに、上記方法のステップを実行させることを特徴とする。
【発明の効果】
【００１１】
本発明のサイト情報変換装置、方法及びプログラムによれば、ウェブサイトのＰＣ用のページを表示エリアの大きさが制限された端末に見やすい態様に変換する際に、特定のウェブサイトのページに含まれる複数のコンテンツの表示順をユーザの好みを反映させて並べ替えることができる。したがって、ユーザは、端末を利用して自分の好みに応じた順序で変換されたページを快適に閲覧することができる。
【発明を実施するための最良の形態】
【００１２】
以下、本発明にかかるサイト情報変換装置の実施の形態を図面に基づいて説明する。図１は、実施の形態のサイト情報変換装置を含むネットワークシステムの構成を模式的に示すブロック図である。このシステムは、インターネット等のネットワークＮを介して接続可能な複数のウェブサーバ２０及び複数のユーザ端末３０と、サイト情報変換装置１０とにより構成されている。サイト情報変換装置１０は、ウェブサーバ２０上に構築されているコンピュータ向けのウェブサイトを表示エリアの大きさが制限された携帯電話機等のユーザ端末３０に適した態様に変換する。
【００１３】
サイト情報変換装置１０は、ユーザの識別情報を蓄積するユーザデータベース１１と、ウェブサイトのパーツのＵＲＬを格納するコンテンツデータベース１２と、ユーザ端末３０を利用するユーザからのアクセスによりユーザの識別情報をユーザデータベース１１に登録する識別情報登録部１３と、識別情報が登録されたユーザ端末３０からの要求に応じて閲覧したいウェブサイトにアクセスし、そのウェブサイトのウェブページを解析して複数のパーツに分解してＵＲＬを付し、そのＵＲＬをコンテンツデータベース１２に格納する解析部１４と、ユーザ端末３０での表示に適するようデータを変換しつつ、所定の順位にしたがって各パーツが表示されるハイパーテキストデータ（この例ではＨＴＭＬデータ）を生成する端末用データ生成部１５と、生成されたハイパーテキストデータをユーザ端
末３０に送信する送信部１６と、ハイパーテキストデータの送信時に、ユーザ端末３０の画面上に各パーツに対応した優先順位ボタンを表示させるようデータを付加するボタン追加部１７と、ユーザ端末３０の画面上で選択された優先順位ボタンの情報を受信する受信部１８と、送信部１８により送信されたハイパーテキストデータの各ハーツに対するユーザの閲覧回数をユーザデータベース１１に登録する履歴登録部１９とを備えている。
【００１４】
ボタン追加部１７は、当該ユーザにとって当該ウェブページに対応するハイパーテキストデータの初回の送信時にのみ優先順位ボタンを表示させるようデータを付加する。また、端末用データ生成部１５は、当該ユーザにとって当該ウェブページに対応するハイパーテキストデータの２回目以降の送信時には、ユーザデータベース１１に登録された閲覧回数により決定される順位にしたがって当該ウェブページのパーツが表示されるハイパーテキストデータを生成する。
【００１５】
なお、サイト情報変換装置１０の実際のハードウェア構成は、ＣＰＵ、メモリ、ハードディスク、キーボード、モニタ等を備えてインターネットに接続されたプロクシサーバであり、上記の各データベース１１、１２はハードディスク上に構築され、各部１３〜１９は、必要に応じてメモリに呼び出されてＣＰＵにより実行されるプログラムモジュールとしてハードディスクに登録されている。
【００１６】
ユーザデータベース１１は、ユーザ毎に１つのレコードを有するデータベースであり、各レコードには、表１に示すように複数のフィールドが含まれている。「UID」フィール
ドには、ユーザのユニークな識別情報が格納される。「機種ID」、「機器名」のフィールドには、ユーザが利用する端末の識別情報と機種とがそれぞれ格納される。「表示可能ピクセル」、「表示可能容量」のフィールドには、端末の画面のサイズ及び表示容量が格納される。「表示可能コントローラ」フィールドには、端末で表示可能なコントロールのファイル形式が格納される。「アクセス日時」、「アクセス場所」のフィールドには、最終アクセスの日時と場所とが格納される。そして、閲覧したサイト毎に、「閲覧サイトURL
」フィールドが生成され、サブフィールドとして当該サイトのページのパーツをＵＲＬが「パーツURL」フィールドに格納され、そのパーツの閲覧回数が「カウント値」フィール
ドに格納される。
【００１７】
【表１】
2010092128.tif 000003
【００１８】
コンテンツデータベース１２には、ユーザが閲覧したいウェブページを構成するパーツのＵＲＬが登録されている。パーツには、ウェブページ内に配置されたテキストと、静止画像や動画、音楽等のテキスト以外のオブジェクトとが含まれる。テキストは、テキスト内に埋め込まれたタグに基づいて分割される。ただし、これに限られず、ユーザ端末３０に表示できる文字数に応じて分割してもよい。テキスト以外のオブジェクトは、例えば容量が大きな画像については、ユーザ端末３０に送信される際に、サイズの縮小、減色等の処理をし、動画やアニメーションについては表示させず、リンク先のみ表示させるようにする。以下の表２は、コンテンツデータベース１２のレコードの一例を示す。
【００１９】
【表２】
2010092128.tif 000004
【００２０】
次に、図２〜図４に示すフローチャートに基づいて、上記のサイト情報変換装置１０の作用について説明する。サイト情報変換処理が開始すると、サイト情報変換装置１０の解析部１４は、ユーザ端末３０からの要求に従って閲覧したいサイトにアクセスする（ステップＳ０１）。また、識別情報登録部１３は、ユーザ端末３０からアクセスがあった時間、場所、日付情報をユーザＩＤと共に取得し、また、ユーザ端末３０をユーザ機器ＩＤから特定し、ユーザデータベース１１に登録する（ステップＳ０２）。
【００２１】
次に、解析部１４は、ユーザが閲覧したいサイト（対象ＵＲＬ）のページ容量、表示コンテンツを解析し（ステップＳ０３）、当該ウェブページ内のテキスト以外のオブジェクトを最初に解析する（ステップＳ０４）。そして、解析部１４は、ウェブページに大容量オブジェクトや特殊な拡張子を持つオブジェクトが含まれているか否かを判別し（ステップＳ０５）、これらが含まれている場合（ステップＳ０５，Ｙｅｓ）には、個々のオブジェクトにＵＲＬを付してコンテンツデータベース１２に登録する（ステップＳ０６）。これらが含まれていない場合（ステップＳ０５，Ｎｏ）には、ステップＳ０６の処理はスキップされる。
【００２２】
続いて解析部１４は、ページ内のテキストにＵＲＬを付してコンテンツデータベース１２に登録し（ステップＳ０７）、ページのソースデータからページ内のテキストの段落を決めるタグの場所と種類とを解析する（ステップＳ０８）。ここでは、例えば<div main>というタグが段落を決めるために利用される。
【００２３】
解析部１４は、ステップＳ０８での解析の結果、タグが有ったか否かを判別する（ステップＳ０９）。そして、タグがなかった場合（ステップＳ０９，Ｎｏ）には、当該ページをプレーンページとして単一のＵＲＬを付してコンテンツデータベース１２に登録し（ステップＳ１０）、タグが有った場合（ステップＳ０９，Ｙｅｓ）には、特定のタグ毎にテキストを複数のパーツに分解し、各パーツにＵＲＬを付してコンテンツデータベース１２に登録する（ステップＳ１１）。そして、ページ内の全てのオブジェクトにＵＲＬを付して解析、格納を終了する（ステップＳ１２）。
【００２４】
図３に移行すると、後述する端末に合わせたページ生成処理のサブルーチンを実行し（ステップＳ１３）、所定の規則でページ内のパーツの表示順位を決定する（ステップＳ１４）。表示順位は、初期的には、ＰＣ用のページの左上側に配置されたパーツから、右下
側に配置されたパーツの順に表示するよう決定される。
【００２５】
端末用データ生成部１３は、当該ウェブページへの当該ユーザのアクセスが初回であるか否かを判別する（ステップＳ１５）。初回である場合（ステップＳ１５，Ｙｅｓ）には、ボタン追加部１７が、ユーザ端末３０の画面上に各パーツに対応した優先順位ボタンを表示させるようデータを付加し（ステップＳ１６）、端末用データ生成部１３は、ユーザ端末３０での表示に適するようデータを変換しつつ、設定された順序で各パーツをボタンと共に表示するようＨＴＭＬデータを生成する（ステップＳ１７）。そして、送信部１６は、アクセス元のユーザ端末３０に向けて生成されたＨＴＭＬデータを送信する（ステップＳ１８）。
【００２６】
ボタン付きのＨＴＭＬデータが送信された後、受信部１８は、優先順位ボタンのクリック情報が受信されたか否かを判断する（ステップＳ１９）。受信した場合（ステップＳ１９，Ｙｅｓ）には、端末用データ生成部１３は、変更された順位でパーツが表示されるよう変更したＨＴＭＬデータを生成し（ステップＳ２０）、送信部１６が変更されたデータを送信する（ステップＳ２１）。優先順位ボタンのクリック情報を受信しない場合（ステップＳ１９，Ｎｏ）には、順位は変更されない。何れの場合にも、履歴登録部１９は、各パーツのクリック情報を受信したか否かを判断する（ステップＳ２２）。これを受信した場合（ステップＳ２２，Ｙｅｓ）には、履歴登録部１９がユーザデータベース１１に当該サイトのＵＲＬとクリックれさたパーツのカウント値とを登録（更新）し（ステップＳ２３）、当該パーツのＵＲＬにリダイレクトする（ステップＳ２４）。
【００２７】
一方、当該ページへのアクセスが初回でない場合（ステップＳ１５でＮｏ）には、端末用データ生成部１３は、ユーザ端末３０での表示に適するようデータを変換しつつ、ユーザデータベース１１に登録された閲覧回数の多い順に各パーツを表示するようＨＴＭＬデータを生成する（ステップＳ２５）。そして、送信部１６は、アクセス元のユーザ端末３０に向けて生成されたＨＴＭＬデータを送信する（ステップＳ２６）。そして、履歴登録部１９は、各パーツのクリック情報を受信したか否かを判断する（ステップＳ２７）。これを受信した場合（ステップＳ２７，Ｙｅｓ）には、上述したステップＳ２３，２４の処理を実行する。
【００２８】
図３のステップＳ１９〜Ｓ２４，Ｓ２７のループは、ユーザが当該ウェブページを閲覧している間繰り返し実行され、閲覧を終了した時点で終了する。
【００２９】
次に、ステップＳ１３の端末に合わせたページ生成処理の内容を図４に基づいて説明する。この処理では、端末データ生成部１３が、ユーザデータベース１１に登録された情報からユーザの端末の機種を確定し（ステップＳ１０１）、図示せぬ端末データベースを参照してどの機種が使われているかを特定する（ステップＳ１０２）。なお、端末データベースは、以下の表３に示すような構造を持つ。
【００３０】
【表３】
2010092128.tif 000005
【００３１】
次に、端末用データ生成部１３は、機種の情報に基づいてユーザ端末の画面表示文字数、受け取り表示データ最大量、再生可能拡張子を判断する（ステップＳ１０３）。そして、ユーザ端末で表示できない拡張子や容量の大きなオブジェクトがあるか否かを判断し（ステップＳ１０４）、ある場合には該当するオブジェクトが複数有るか否かを判断する（ステップＳ１０５）。
【００３２】
表示できないオブジェクトがない場合（ステップＳ１０４，Ｎｏ）には、ユーザ端末の画面表示文字数、受け取り表示データ最大量、再生可能拡張子を判断する（ステップＳ１０６）。
【００３３】
表示できないオブジェクトが単数ある場合（ステップＳ１０４，Ｙｅｓ；Ｓ１０５，Ｎｏ）には、テキスト容量とオブジェクトの容量を計算し、ユーザ端末が表示できる量のみに容量を減らし、残り部分を次のページへ変更する処理を行う（ステップＳ１０７）。
【００３４】
表示できないオブジェクトが複数ある場合（ステップＳ１０４，Ｙｅｓ；Ｓ１０５，Ｙｅｓ）には、テキスト容量と該当オブジェクトの容量を計算し、ユーザ端末が表示できる量のみに容量を減らし、残り部分を次のページへ変更する処理を行う（ステップＳ１０８）。
【００３５】
次に、端末用データ生成部１３は、当該ページに含まれるオブジェクトに複数のアクションが含まれるか否かを判断する（ステップＳ１０９）。アクションが単数である場合（ステップＳ１０９，Ｎｏ）には、アクションがリンクだけであれば、リンクを表示し、コントローラであればユーザ端末が操作できるコントローラのみ表示するようにする（ステップＳ１１０）。
【００３６】
複数のアクションが含まれる場合（ステップＳ１０９，Ｙｅｓ）には、複数のアクションがリンクだけの場合は複数のリンクを表示し、複数のコントローラだった場合はユーザ端末が操作できるコントローラのみ表示するようにする（ステップＳ１１１）。
【００３７】
そして、端末用データ生成部１３は、それぞれ端末に合ったページのＵＲＬを付してコンテンツＤＢにそのＵＲＬと共にページ分割及び変換方法を登録し（ステップＳ１１２）、それぞれの端末に合ったページをその場で生成する（ステップＳ１１３）。
【００３８】
図５〜図７は、上記のサイト情報変換装置１０の各段階の作用の説明図である。図５は、図２のステップＳ０１から図３のステップＳ１８までに対応する処理の流れを示している。すなわち、ここではユーザ端末３０がサイト情報変換装置１０を介してＰＣサイトにアクセスすると、ＰＣサイトに含まれるパーツ（１），（２），（３）がユーザ端末に表示できるよう変換されて、モバイルサイトとして表示され、かつ、それぞれのパーツに優先順位ボタンが表示される。
【００３９】
図６は、図３のステップＳ１８からステップＳ２０，２１に対応する処理の流れを示している。すなわち、ここでは、ユーザがユーザ端末上に表示されたモバイルサイトでパーツと共に表示された優先順位ボタンをクリックすると、その情報がサイト情報変換装置１０に送信され、サイト情報変換装置１０が並び順を変更し、ユーザ端末上のモバイルサイトでのパーツの並び順がユーザに指定された優先順位にしたがって変更されて表示される。
【００４０】
図７は、図４に示したサブルーチンに対応する処理の流れを示している。すなわち、ここでは、ユーザ端末３０からサイト情報変換装置１０にアクセスがあると、その機種ＩＤからユーザ端末の機能、能力が端末データベースから読み取られ、例えば画面の表示容量
、最大文字数等に応じてＰＣサイトのコンテンツのパーツが変換され、使用されている機種に対して最適な態様で各パーツを表示させることができる。
【００４１】
以上説明した実施形態によれば、ウェブサイトのＰＣ用ページをユーザ端末３０等の端末に表示する際に、ページのコンテンツを複数のパーツに分解し、それぞれのパーツの表示順位をユーザの好みに応じて変更することができるため、ユーザは自分が使いやすい順序に情報を並べ替えることにより、表示画面をカスタマイズすることができ、変換されたページを快適に閲覧することができる。
【００４２】
なお、上記の実施形態では、端末として携帯電話を取り上げているが、これに限られず、ネットワークに接続される家電、例えば電子レンジ等を端末として、ウェブサイト上の調理方法に関するページの内容を表示させることもできる。
【００４３】
また、本発明は、上述した実施の形態の機能を実現するプログラムを格納した記憶媒体を、コンピュータやサーバに供給し、コンピュータのＣＰＵが記憶媒体に格納されたプログラムを読み出して実行することによっても実現できる。
【図面の簡単な説明】
【００４４】
【図１】本発明の実施の形態に係るサイト情報変換装置を含むネットワークシステムの構成を模式的に示すブロック図である。
【図２】図１のサイト情報変換装置の処理内容を示すフローチャートである。
【図３】図１のサイト情報変換装置の処理内容を示すフローチャートである。
【図４】図３のステップＳ１３で実行されるサブルーチンの処理内容を示すフローチャートである。
【図５】実施形態のサイト情報変換装置のステップＳ０１からステップＳ１８までに対応する処理の流れを示す説明図である。
【図６】実施形態のサイト情報変換装置のステップＳ１８からステップＳ２０，２１に対応する処理の流れを示す説明図である。
【図７】実施形態のサイト情報変換装置の図４のサブルーチンに対応する処理の流れを示す説明図である。
【符号の説明】
【００４５】
１０  サイト情報変換装置
１１  ユーザデータベース
１２  コンテンツデータベース
１３  識別情報登録部
１４  解析部
１５  端末用データ生成部
１６  送信部
１７  ボタン追加部
１８  受信部
１９  履歴登録部
２０  ウェブサーバ
３０  ユーザ端末
Ｎ  ネットワーク
【図１】
2010092128.tif 000006
【図２】
2010092128.tif 000007
【図３】
2010092128.tif 000008
【図４】
2010092128.tif 000009
【図５】
2010092128.tif 000010
【図６】
2010092128.tif 000011
【図７】
2010092128.tif 000012